(57)【特許請求の範囲】
【請求項１】
円形の底壁を縁取る側壁が設けられた容器本体と、当該容器本体の側壁内側に複数の粒状物の収納空間を形成する蓋体とを有する粒状物収納容器であって、
容器本体の側壁は、周方向に間隔を空けて配置される２つの周方向端縁を有し、
当該周方向端縁の相互間に、当該側壁とともに収納空間を形成する２つのパネル部を径方向外側に向かって傾斜配置して、当該パネル部の末端側を、ヒンジを介して周方向端縁に対して弾性反転可能に連結すると共に、当該パネル部の先端側に、ヒンジを介して取出部を弾性反転可能に連結し、
当該取出部は、粒状物を載置する底壁と、当該底壁から起立して粒状物の取出室を形成する側壁とを有して当該側壁が収納空間に通じる上端開口部を形作るものであることを特徴とする粒状物収納容器。
【請求項２】
請求項１において、蓋体の内側に、取出部に向かって傾斜する傾斜面を有することを特徴とする粒状物収納容器。
【発明の詳細な説明】
【技術分野】
【０００１】
本発明は、複数の粒状物を収納して、その取り出しが可能な粒状物収納容器に関するものである。
【背景技術】
【０００２】
従来の粒状物収納容器には、容器本体に計量凹部を設けることで、粒状物の定量的な取り出しを可能にしたものがある（例えば、特許文献１参照）。
【先行技術文献】
【特許文献】
【０００３】
【特許文献１】特開２００４−１８０７２６号公報
【発明の概要】
【発明が解決しようとする課題】
【０００４】
しかしながら、従来の粒状物収納容器は、容器本体に対して計量凹部が飛び出しているため、この計量凹部が強調されることで、容器の外観形状に対して煩雑な印象を与える場合がある。
【０００５】
また、従来の粒状物収納容器は、容器本体、シート材及び蓋体の３つの部品で構成されているため、部品点数を削減するという点で改善の余地がある。更に、従来の粒状物収納容器は、蓋体が計量凹部に対して着脱可能に嵌合するものであるため、計量凹部の開閉操作が煩雑で、操作性の点でも改善の余地がある。
【０００６】
本発明の目的とするところは、部品点数の増加を伴うことなく、すっきりとした外観印象を与え、更に操作性の良好な、新規な粒状物収納容器を提供することにある。
【課題を解決するための手段】
【０００７】
本発明は、円形の底壁を縁取る周壁が設けられた容器本体と、当該容器本体の側壁内側に複数の粒状物の収納空間を形成する蓋体とを有する粒状物収納容器であって、
容器本体の側壁は、周方向に間隔を空けて配置される２つの周方向端縁を有し、
当該周方向端縁の相互間に、当該側壁とともに収納空間を形成する２つのパネル部を径方向外側に向かって先細るように傾斜した状態に配置して、当該パネル部の末端側を、ヒンジを介して周方向端縁に対して弾性反転可能に連結すると共に、当該パネル部の先端側に、ヒンジを介して取出部を弾性反転可能に連結し、
当該取出部は、粒状物を載置する底壁と、当該底壁から起立して粒状物の取出室を形成する側壁とを有して当該側壁の上端が収納空間に通じる開口部を形作るものであることを特徴とするものである。
【０００８】
蓋体の内側には、取出部に向かって傾斜する傾斜面を形成することができる。
【発明の効果】
【０００９】
本発明によれば、取出部を容器本体の側壁に対して径方向内側に押し込むと、取出部及びパネル部の全体がヒンジを基点に蓋体の内側に反転した状態で収納される。即ち、取出部を押し込むだけという簡単な操作で、取出部を蓋体に収納することができる。しかも、この場合、取出部及びパネル部の全体がヒンジを基点に反転するため、別途位置決め手段を用いることなく、収納状態を維持することができる。
【００１０】
また、取出部を容器本体の側壁に対して径方向外側へ引き出すと、取出部及びパネル部の全体がヒンジを基点に蓋体の外側に反転した状態で突出する。即ち、取出部を引き出すだけという簡単な操作で、取出部を蓋体から引き出すことができる。しかも、この場合も、取出部及びパネル部の全体がヒンジを基点に反転するため、別途位置決め手段を用いることなく、引き出し状態を維持することができる。
【００１１】
従って、本発明によれば、実質、容器本体と蓋体という２つの部品だけ構成されることで、部品点数の増加を伴うことなく、すっきりとした外観印象を与え、更に操作性の良好な、新規な粒状物収納容器を提供することができる。
【図面の簡単な説明】
【００１２】
【図１】本発明である、粒状物収納容器の一形態である、タブレット容器を前方から示す斜視図である。
【図２】(a)は、同タブレット容器の容器本体を、その取出部が開かれた状態で示す上面図であり、(b)は、(a)のＸ−Ｘ断面図である。
【図３】(a)は、同タブレット容器の取出部が閉じられた状態を、蓋体を仮想線で示す上面図であり、(b)は、(a)のＸ−Ｘ断面図である。
【図４】(a)は、同タブレット容器の取出部が開かれた状態を、蓋体を仮想線で示す上面図であり、(b)は、(a)のＸ−Ｘ断面図である。
【発明を実施するための形態】
【００１３】
以下、図面を参照して、本発明である、粒状物収納容器の一形態である、タブレット容器を詳細に説明する。
【００１４】
図１は、本発明の一形態である、タブレット容器１を示す。符号２は、円筒形の容器本体である。容器本体２は、図２(a)に示すように、円形の底壁３を有し、この底壁３の周方向に沿って側壁４が底壁３を縁取るように、当該底壁３の外縁部に沿って設けられている。側壁４は、周方向に間隔を空けて配置される２つの周方向端縁４ｅを有し、２つの周方向端縁４ｅの相互間には、２つの板状のパネル部５が径方向外側に向かって先細るように配置されている。
【００１５】
パネル部５はそれぞれ、その末広がり側の端縁５ａが、ヒンジ６を介して周方向端縁４ｅに対して弾性反転可能に連結されている。また、パネル部５の先端側の端縁５ｂには、ヒンジ７を介して取出部８が弾性反転可能に連結されている。これにより、取出部８は、同図に示すように、ヒンジ６を介して容器本体１と一体の部品とすることができる。なお、３ｃは、底壁３に形成した切欠部である。
【００１６】
タブレット容器１は、図３(b)に示すように、容器本体２の上端に円筒形の蓋体１１を合せることで、その内側に、丸形の、複数の粒状物Ｃの収納空間Ｒ1を形成する。これにより、取出部８は、側壁４に対して径方向内側に押し込むと、図３(a)に示すように、底壁３の内側に配置される一方、径方向外側に引き出すと、図４(a)に示すように、底壁３の外側に突出する。
【００１７】
取出部８は、粒状物Ｃを載置する底壁９と、この底壁９から一体に起立する側壁１０を有する。側壁１０は、底壁９と共に粒状物Ｃを取り出すための取出室Ｒ2を形成する。側壁１０は、ヒンジ７に一体に繋がって互いに間隔を空けて配置される２つの挟持壁１０ａと、挟持壁１０ａの相互間を横切って一体に連結する押圧壁１０ｂからなる。側壁１０の上端は、収納空間Ｒ１に通じる開口部Ａを形作り、取出室Ｒ2の上端開口部Ａを通して収納空間Ｒ１を外界に通じさせる。
【００１８】
次に、本発明に従うタブレット容器１の使用方法について説明する。
【００１９】
タブレット容器１は、携帯して持ち運ぶ等の不使用時には、図３に示すように、取出部８を押し込んだ状態にしておく。これにより、開口部Ａは蓋体１１によって閉じられる。そして、使用時には、挟持壁１０ａを用いて側壁４よりヒンジ６，７を基点に外側に引き出せば、開口部Ａが蓋体１１から開くことで、図４に示すように、粒状物Ｃを１つずつ取出すことができる。また、使用後は、押圧壁１０ｂを用いて側壁４よりヒンジ６，７を基点に内側に押し込めば、上端開口部Ａを閉じることができる。なお、挟持壁１０ａには、滑り止め部１０ｃが設けられている。
【００２０】
上述のように、本形態によれば、取出部８を、押圧壁１０ｂを介して図３(a)の矢印に示すように、容器本体２の側壁４に対して径方向内側に押し込むと、取出部８及びパネル部５の全体が、同図に示すように、ヒンジ６，７を基点に蓋体１１の内側に反転した状態で収納される。即ち、取出部８を押し込むだけという簡単な操作で、取出部８を蓋体１１に収納することができる。しかも、この場合、取出部８及びパネル部５の全体がヒンジ６，７を基点に反転するため、別途位置決め手段を用いることなく、収納状態を維持することができる。
【００２１】
また、取出部８を、２つの挟持壁１０ａを摘んで図４(a)の矢印に示すように、容器本体２の側壁４に対して径方向外側への引き出すと、取出部８及びパネル部５の全体が、同図に示すように、ヒンジ６，７を基点に蓋体１１の外側に反転した状態で突出する。即ち、取出部８を引き出すだけという簡単な操作で、取出部８を蓋体１１から引き出すことができる。しかも、この場合も、取出部８及びパネル部５の全体がヒンジ６，７を基点に反転するため、別途位置決め手段を用いることなく、引き出し状態を維持することができる。
【００２２】
従って、本形態によれば、実質、容器本体２と蓋体１１という２つの部品だけ構成されることで、部品点数の増加を伴うことなく、すっきりとした外観印象を与え、更に操作性の良好なものとなる。
【００２３】
また、本形態では、蓋体１１の内側に、取出部８に向かって傾斜する傾斜面１１ｆが形成されている。本形態の如く、蓋体１１の内側に、取出部８に向かって傾斜する傾斜面１１ｆを形成すれば、粒状物Ｃを取出室Ｒ2内に取り込み易くすることができる。
【００２４】
上述したところは、本発明の一形態を示したにすぎず、特許請求の範囲において、種々の変更を加えることができる。例えば、粒状物Ｃの形状は、丸形形状に限定されるものではない。
【００２５】
例えば、容器本体２と蓋体１１とはそれぞれ、係止部ｆ1，ｆ2を有する。係止部ｆ1，ｆ2は、互いに引っ掛かって係止される。図３(b)等においては、係止部ｆ1は、容器本体２の側壁４の上端部内側に形成された環状の凸部であり、また、係止部ｆ2は、側壁４の上端部に取り囲まれるように天壁１１ａから一体に垂下する周壁１１ｂの外側に形成された環状の凸部である。係止部ｆ1，ｆ2は、同図に示すように、互いに対向する位置に形成された環状溝に嵌合する。これにより、容器本体１及び蓋体７を固定することができる。
また、該環状溝での嵌合を着脱自在とする場合には、粒状物Ｃの詰め替えを可能にできるので、繰り返し使用する形態にも対応できる。
【００２６】
また、本発明に従えば、係止部ｆ1，ｆ2を単なる圧入嵌合とすることもできる。更に、接着剤を用いて固定する等、その固定手段は問わない。即ち、本発明に従えば、容器本体２及び蓋体１１は、既存の種々の手段を用いて固定することができる。
【産業上の利用可能性】
【００２７】
本発明は、例えば、粒状のガムやキャンディ等の嗜好品や、丸薬等の錠剤を収納容器に採用することができる。
【符号の説明】
【００２８】
１      タブレット容器
２      容器本体
３      容器本体底壁
４      容器本体周壁
５      パネル部
６      ヒンジ
７      ヒンジ
８      取出部
９      取出部底壁
１０    取出部側壁
１０ａ  挟持壁
１０ｂ  押圧壁
１１    蓋体
１１ｆ  傾斜面
Ａ      取出口
Ｒ1     収納空間
Ｒ2     取出室
【図１】
0005684603.tif 000002
【図２】
0005684603.tif 000003
【図３】
0005684603.tif 000004
【図４】
0005684603.tif 000005